(57)【要約】【課題】家具の一部に取り付けることにより、他の家具或いは収納棚に係止し、落下や転倒や滑りを防止する。【解決手段】係止部材１の断面略四角形の短角筒体である基体２の上縁に、可撓性を有する４本のアーム部３が上方向に向けて突出され、各アーム部３には外側に向けて爪部４が設けられている。基体２の下部には、板体部５が水平方向に向けて延在されている。アーム部３をケース１１の底面奥部に設けられた受入孔１２に押し込むと、アーム部３は受入孔１２を通過するに際して内側にすぼまり、通過した後に外側に復元し、爪部４により受入孔１２に錠止される。係止部材１を取り付けたケース１１を、下段のケース１１’上に載置し、ケース１１’の上面奥部に設けられた係止溝１３に、係止部材１の基体２、板体部５を嵌め込むことにより、ケース１１、１１’同士を係止する。【選択図】　　　　図４
2004097321.tif 000002
【特許請求の範囲】
【請求項１】
家具に設けた受入孔に嵌合して使用する家具の係止部材であって、筒状部と、該筒状部の上端から上方に突出した複数個の可撓性を有するアーム部と、前記筒状部の下部に設け前記筒状部の軸線と直交する方向に延在した板体部とから成り、前記アーム部の少なくとも１個の先端に前記受入孔に錠止する爪部を設けると共に、前記アーム部を前記受入孔に嵌入した際に前記筒状部を回転不能に規制する回転規制部を有することを特徴とする家具の係止部材。
【請求項２】
前記板体部の先端部には突起部を設けた請求項１に記載の家具の係止部材。
【請求項３】
前記筒状部は角筒状とした請求項１に記載の家具の係止部材。
【請求項４】
前記アーム部は４個とした請求項３に記載の家具の係止部材。
【請求項５】
前記回転規制部は、前記アーム部の基部が前記受入孔に設けた係合部に係合することにより、回転を規制するようにした請求項４に記載の家具の係止部材。
【請求項６】
前記板体部を相手側家具の凹部に嵌合するようにした請求項１に記載の家具の係止部材。
【請求項７】
前記板体部の突起部をワイヤシェルフのワイヤに係止するようにした請求項１に記載の家具の係止部材。
【請求項８】
請求項１〜７の何れか１つの請求項に記載の前記係止部材を前記受入孔に取り付けた家具。
【発明の詳細な説明】
【０００１】
【発明の属する技術分野】
本発明は、引き出しケース、衣装ケース、書類ケース、整理箱等の家具を、家具同士又は他の部材と係止するための家具の係止部材に関するものである。
【０００２】
【従来の技術】
従来、上述の家具は空間を有効利用するために、積み上げて使用することがある。或いは、小型の整理箱等においては、収納棚に整理箱ごと保管することがある。
【０００３】
【発明が解決しようとする課題】
しかしながら、軽量の引き出しケース等を積み上げて使用した際には、引き出しを引いたり、引き出しケースに物品を片寄って収納したり、衝撃が加わったりすると、上段の引き出しケースが脱落したり、転倒する虞れがある。
【０００４】
この場合に、家具同士に浅い溝と凸条部を設けて嵌合することにより、相互のずれを防止することも行われているが、十分な係止とはならないこともあり、特に上下方向の動きに対しては殆ど機能することはない。
【０００５】
また、針金状のワイヤから成るパネルを組み上げて製作した収納棚（ワイヤシェルフ）に、引き出しケースを載置した場合には滑り易く、地震等の際に収納棚から飛び出す虞れもある。
【０００６】
本発明の目的は、上述の課題を解決し、家具を安全に固定し、落下等を防止する家具の係止部材を提供することにある。
【０００７】
【課題を解決するための手段】
上記目的を達成するための請求項１に係る本発明は、家具に設けた受入孔に嵌合して使用する家具の係止部材であって、筒状部と、該筒状部の上端から上方に突出した複数個の可撓性を有するアーム部と、前記筒状部の下部に設け前記筒状部の軸線と直交する方向に延在した板体部とから成り、前記アーム部の少なくとも１個の先端に前記受入孔に錠止する爪部を設けると共に、前記アーム部を前記受入孔に嵌入した際に前記筒状部を回転不能に規制する回転規制部を有することを特徴とする家具の係止部材である。
【０００８】
請求項２に係る本発明は、前記板体部の先端部には突起部を設けた請求項１に記載の家具の係止部材である。
【０００９】
請求項３に係る本発明は、前記筒状部は角筒状とした請求項１に記載の家具の係止部材である。
【００１０】
請求項４に係る本発明は、前記アーム部は４個とした請求項３に記載の家具の係止部材である。
【００１１】
請求項５に係る本発明は、前記回転規制部は、前記アーム部の基部が前記受入孔に設けた係合部に係合することにより、回転を規制するようにした請求項４に記載の家具の係止部材である。
【００１２】
請求項６に係る本発明は、前記板体部を相手側家具の凹部に嵌合するようにした請求項１に記載の家具の係止部材である。
【００１３】
請求項７に係る本発明は、前記板体部の突起部をワイヤシェルフのワイヤに係止するようにした請求項１に記載の家具の係止部材である。
【００１４】
請求項８に係る本発明は、請求項１〜７の何れか１つの請求項に記載の前記係止部材を前記受入孔に取り付けた家具である。
【００１５】
【発明の実施の形態】
本発明を図示の実施の形態に基づいて詳細に説明する。
図１は本実施の形態における家具の係止部材の斜視図である。この係止部材１は例えば合成樹脂から成る一体構造であり、断面略四角形の短角筒体である基体２の上縁２ａには、可撓性を有する４つの略長片状のアーム部３ａ〜３ｄが上方向に向けて突出されている。アーム部３ａ〜３ｄは略四角形の基体２の上縁２ａに取り付けられているために、アーム部３ａとアーム部３ｃ、アーム部３ｂとアーム部３ｄは平行に配置されている。そして、各アーム部３の先端には、外側に向けて爪部４がそれぞれ設けられている。基体２の下部には、矩形状の板体部５が水平方向に向けて延在されており、板体部５上の先端にはその長手方向と直交する方向に凸条の突起部６が設けられている。
【００１６】
例えば、合成樹脂から成る引き出しケース１１を積み上げる場合に、図２に示すような引き出しケース１１の底面奥部に設けられた受入孔１２に、係止部材１を嵌合する。なお、受入孔１２は係止部材１が嵌入されても、内部の引き出しの出し入れに影響を与えない位置に設けられている。
【００１７】
受入孔１２は略太十字孔とされ、十字孔の一方の軸の長さは他方の軸の長さよりも短く、その短い側の軸の２個所の端縁部にのみ、アーム部３の爪部４が錠止するようにされている。
【００１８】
係止部材１の板体部５の長手方向を、引き出しケース１１の後面に平行に向けて、アーム部３ａ〜３ｄを受入孔１２に押し込むと、アーム部３ａ、３ｃは受入孔１２を通過するに際して十字孔の短軸の端縁部に押されて内側にすぼまり、図３に示すように通過した後に外側に復元し、アーム部３ａ、３ｃの爪部４により受入孔１２に錠止され、抜け出しができなくなる。
【００１９】
アーム部３ａ〜３ｄが付設された基体２の上縁２ａは段部となっているので、この上縁２ａは受入孔１２の内隅部１２ａに当接し、また引き出しケース１１の底面と板体部５の間に間隙が設けられる。また、各アーム３ａ〜３ｄの基部が受入孔１２の十字孔の軸部に嵌合することにより、係止部材１は受入孔１２に対して回転が規制される。
【００２０】
このようにして、係止部材１を取り付けた引き出しケース１１を、図４に示すように下段の引き出しケース１１’上に載置し、引き出しケース１１’の上面奥部に設けられた係止溝１３に、係止部材１の基体２、板体部５を嵌め込む。係止溝１３は家具の係止部材４の基体２が入り込む切込部１４と、板体部５が嵌入する凹部１５とを有することから、引き出しケース１１’に載せた引き出しケース１１を前方に引き寄せるようにして嵌め込むと、係止部材１の介在により引き出しケース１１は引き出しケース１１’に対して前方への移動、上下方向の移動が規制されることになる。
【００２１】
引き出しケース１１、１１’同士の係止を外すには、引き出しケース１１をケース１１’に対して後方に押し戻してから、上方に持ち上げればよい。また、引き出しケース１１から係止部材１を取り外す際には、引き出しケース１１の内部に手を入れて、アーム部３を指で内側に撓ませて爪部４による受入孔１２に対する錠止を外し、係止部材１を受入孔１２から引き抜くことにより、取り外すことができる。
【００２２】
なお、係止部材１は家具の上面に取り付けて、上に載せた家具の底面に設けた係止溝１３に嵌合するようにしてもよい。また、本実施の形態では、係止部材１は基体２から一方向のみに板体部５を設けているが、基体２から両方向に板体部５を設けてもよい。
【００２３】
図５に示すように、引き出しケース１１をワイヤシェルフ３１に収納する場合には、係止部材１の板体部５の突起部６をワイヤシェルフ３１のワイヤ３２に係止することができ、収納棚４１から引き出しケースの滑りや落下を防止できる。なお、更に確実に係止するには突起部６をフック状にすると効果がある。
【００２４】
また図６に示すように、係止部材１を嵌合させる方向を略９０゜回転させ、板体部５の長手方向を前方又は後方に向けて取り付けることにより、ワイヤシェルフ３１の異なる方向を向くワイヤ３３に対しても係止することができる。
【００２５】
更には、受入孔１２を正十字形又は正方形とすることにより、係止部１の全てのアーム部３ａ〜３ｄの爪部４が受入孔１２に錠止して、その錠止を確実にすることもできる。しかし、その場合には係止部材１を取り外す際に、全ての爪部４の錠止を外さなければならない厄介さはある。
【００２６】
また、アーム部３の数を少なくしたり、アーム部３の全てに爪部４を設けなくとも、受入孔１２を正十字形又は正方形とすれば、本実施の形態と同様の機能を得ることができる。
【００２７】
更に、係止部材１を図４に示す家具同士の係止のみに使用する場合には、板体部５に設けた突起部６は省略してもよい。
【００２８】
【発明の効果】
以上説明したように本発明に係る家具の係止部材は、家具の一部に取り付けることにより、他の家具或いは収納棚に係止することができ、落下や転倒や滑りを防止することができる。
【図面の簡単な説明】
【図１】係止部材の斜視図である。
【図２】受入孔に係止部材を嵌合させる状態の説明図である。
【図３】嵌合した状態の断面図である。
【図４】家具同士を係止させる場合の説明図である。
【図５】家具をワイヤシェルフに係止させる状態の説明図である。
【図６】家具をワイヤシェルフに係止させる他の状態の説明図である。
【符号の説明】
１　係止部材
２　基部
３ａ〜３ｄ　アーム部
４　爪部
５　板体部
６　突起部
１１、１１’　引き出しケース
１２　受入孔
１３　係止溝
１４　切込部
１５　凹部
３１　ワイヤシェルフ
３２、３３　ワイヤ
【図１】
2004097321.tif 000003
【図２】
2004097321.tif 000004
【図３】
2004097321.tif 000005
【図４】
2004097321.tif 000006
【図５】
2004097321.tif 000007
【図６】
2004097321.tif 000008